(57)【特許請求の範囲】
【請求項１】
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、複数の隣接する前記平板状フィン間にそれぞれ挿入固定されるトーン・ノイズ拡散板により構成し、かつ、該複数のトーン・ノイズ拡散板は、前記複数の平板状フィンの上面から見たとき、該トーン・ノイズ拡散板の幅方向にランダム配置されることを特徴とするヒートシンク。
【請求項２】
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、複数の隣接する前記平板状フィン間にそれぞれ挿入固定されるトーン・ノイズ拡散板により構成し、かつ、該複数のトーン・ノイズ拡散板は、前記複数の平板状フィンの側面から見たとき、該トーン・ノイズ拡散板の高さ方向にランダム配置されることを特徴とするヒートシンク。
【請求項３】
熱拡散盤と、該熱拡散盤上に立設しかつ相互に隣接して平行配列される複数の平板状フィンと、を具備するヒートシンクにおいて、
冷却風により前記複数の平板状フィンから生ずる耳障り音をなす略単一周波数のトーン・ノイズを複数周波数のトーン・ノイズに拡散させるトーン・ノイズ拡散手段を形成し、ここに該トーン・ノイズ拡散手段を、前記複数の平板状フィンの上面にかつ該複数の平板状フィンの各自由端と交差する方向に布設される複数のトーン・ノイズ拡散テープにより構成することを特徴とするヒートシンク。
【請求項４】
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記複数の隣接する平板状フィンの間を該平板状フィンに沿うようにかつ該平板状フィンの高さ方向に相互にランダムな位置に配線されるワイヤにより構成することを特徴とするヒートシンク。
【請求項５】
熱拡散盤と、該熱拡散盤上に立設しかつ相互に隣接して平行配列される複数の平板状フィンと、前記熱拡散盤上の熱を該平板状フィンより放熱させるために該複数の平板状フィンを貫通するように敷設される少なくとも１つのヒートパイプと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記ヒートパイプに各一端が接合すると共に複数の隣接する前記平板状フィン間にそれぞれ挿入固定されるトーン・ノイズ拡散片により構成することを特徴とするヒートシンク。
【請求項６】
熱拡散盤と、該熱拡散盤上に立設しかつ相互に隣接して平行配列される複数の平板状フィンと、を具備するヒートシンクにおいて、
前記複数の平板状フィンの全体構造を、冷却風により前記複数の平板状フィンから生ずる略単一周波数のトーン・ノイズを複数周波数のトーン・ノイズに拡散させるトーン・ノイズ拡散構造とし、ここに該トーン・ノイズ拡散構造は、隣接する前記平板状フィン間の各配列ピッチを相互に不均一にする構造であることを特徴とするヒートシンク。
【発明の詳細な説明】
【技術分野】
【０００１】
本発明はヒートシンク、例えばＣＰＵ，ＩＣ，ＨＤＤ等の発熱体からなる電子部品に接合されて該電子部品からの放熱を冷却風により促進するためのヒートシンクに関する。
【背景技術】
【０００２】
近年、電子部品の高速化や高機能化、さらには小型化等に起因して、該電子部品からの発熱が一層増大している。特にパーソナルコンピュータ等の中核電子部品をなすＣＰＵはその代表例である。
【０００３】
このように高熱を発するＣＰＵ等の冷却を一層促進するのがヒートシンクであり、通常、複数の放熱用のフィンを、小さい間隔を置いて、並列させる構成をとる。そしてこの放熱用のフィンに向けて冷却ファンより冷却風を吹き付け、その放熱を促進させる。
【０００４】
このため上記放熱用のフィンから、空気の乱流や風切り音に起因する騒音が発生することは不可避であり、その騒音を幾分でも抑制する数々の工夫が既に提案されている。これらの提案により、現状ではその騒音レベル自体はかなり低下してきている。
【０００５】
ところが最近、騒音自体のレベルは低下したものの、耳障りで不快な感じをユーザに与えるいわゆる「耳障り音」が問題となってきている。この耳障り音は、静かな室内あるいはオフィス等において特に気になるものであり、その対策が望まれている。
【０００６】
なお本発明に関連する公知技術として、下記の〔特許文献１〕〜〔特許文献４〕がある。
【０００７】
【特許文献１】特開２００２−９４７５号公報
【特許文献２】特開２００３−２４９６１１号公報
【特許文献３】特開２００４−１１１７２７号公報
【特許文献４】実開昭５７−３０５８８号公報
【発明の開示】
【発明が解決しようとする課題】
【０００８】
上記〔特許文献１〕に開示するヒートシンクは、フィンの側面の一部または全体に吸音材を貼付し、さらに、これらをヒートシンクカバーで囲った構成を特徴としている。
【０００９】
また上記〔特許文献２〕に開示するヒートシンクは、並列して立設される複数のフィンの各自由端を、各該自由端に交差する方向に延びる接続部材によって連結する構成をとることを特徴としている。
【００１０】
さらに上記〔特許文献３〕に開示するヒートシンクは、上記〔特許文献２〕と近似した構造を採用するが、上記の接続部材を並列な３本の丸棒とすると共に、その３本の丸棒をそれぞれ収容する３つの凹部を上記各自由端の端面に形成する構造にしたことを特徴としている。
【００１１】
各上記〔特許文献〕に開示されたヒートシンクはいずれも、フィンから発生する騒音を外部からの力で強制的に押え込む、といった点で共通している。
【００１２】
しかしかかる〔特許文献１〕〜〔特許文献３〕による手法においては、上記耳障り音を根元的に抑制する、という点では不十分である。なお〔特許文献４〕については後述する。
【００１３】
したがって本発明は、上記の観点より、耳障り音の発生原因に注目して、その耳障り音を根元的に抑制することのできるヒートシンクを提供することを目的とするものである。
【課題を解決するための手段】
【００１４】
本発明のヒートシンクは、熱拡散盤と、該熱拡散盤上に立設しかつ相互に隣接して平行配列される複数の平板状フィンと、を具備するヒートシンクであって、ここに、冷却風により前記複数の平板状フィンから生ずる略単一周波数（特定周波数）のトーン・ノイズを複数周波数のトーン・ノイズに拡散させるトーン・ノイズ拡散手段またはトーン・ノイズ拡散構造を形成するようにしたことを特徴とするものである。
【００１５】
ここで「耳障り音」の性質について考察すると、その性質の特徴は、その耳障り音の周波数スペクトラムが特異な特性を示すことである。具体的にはそのスペクトラム特性が、略単一周波数の特定のスペクトルを呈することである。人間の感覚として、ある音がホワイトノイズ状ではなくある特定の周波数に集中したトーン・ノイズに対しては人間に不快感を覚えさせることが知られている。すなわちヒートシンクから発生する耳障り音は、そのような単一スペクトルの音からなるトーン・ノイズである。
【００１６】
そこでそのようなトーン・ノイズの生成原因についてさらに考察すると、次のことが判明する。ヒートシンクの構造は、一般的には、厳密に等間隔で整列された多数の平板状のフィンからなり、かつ、これらの整列されたフィンに対し、ほぼ一定速度の風速にて冷却風が吹き付けられる構造となっている。上記トーン・ノイズは、このような冷却機構の「一定性」のもとで同一の特定周波数の音が重なり合い、１つのピーク音となって現れる。したがって、ヒートシンクの構造上、上記の一定性を排除し、逆に「ランダム性」を導入することにより、上記耳障り音の発生を根元的に抑圧することができる。これが本発明のポイントであり、上述した「トーン・ノイズ拡散手段」によって本発明の目的を達成することができる。その手段の具体的構成については後述する。
【００１７】
なお既述の〔特許文献４〕は、原理的に上述した考察に近似した考察を開示しているが、
・風切り音ではなく「カルマン渦」に起因した共鳴や共振を抑える干渉板を採用する点、
・またその干渉板が、フィンの外側に配置される点で、
後述する本発明の構成と根本的に異なる。
【発明の効果】
【００１８】
ｉ）上記「トーン・ノイズ拡散手段」の第１の実施例（図１〜図３）によれば、金属あるいは樹脂製の板を、各隣接フィン間に、ランダムパターンで挿入固定するだけで、前述した「ランダム性」が実現される。当該板はすなわちトーン・ノイズ拡散板であり、耳障り音の抑圧効果はもちろんのこと、多数のフィンの各自由端部分の剛性を高めて共鳴音の発生等までも抑圧することができる。また、そのトーン・ノイズ拡散板を銅等の金属板にすれば、多数のフィンの各自由端部分相互間での熱伝導効率が向上し、放熱を一層促進させるといった放熱促進効果も得られる。
【００１９】
ii）上記トーン・ノイズ拡散手段の第２の実施例（図４および図５）によれば、上記ｉ）と同様に、耳障り音の抑圧効果はもちろんのこと、多数のフィンの各自由端部分の剛性を高める他、さらに、上記の放熱促進効果も得られる。またこの第２の実施例によれば、テープを貼るだけであるから製造工数を増加させることもない。
【００２０】
iii）上記トーン・ノイズ拡散手段の第３の実施例（図６および図７）によれば、針金や糸といった簡単な素材で実現できる。
【００２１】
iv）上記トーン・ノイズ拡散手段の第４の実施例（図１０〜図１２）によれば、耳障り音の抑圧効果はもちろんのこと、ヒートパイプと多数のフィンとの間ならびに多数のフィン相互間の熱伝導効率を一層向上させることができる。また、そのトーン・ノイズ拡散片（４１）により、それがガイド板となって、冷却風をヒートシンクの外側に円滑に送り出す効果もある。
【００２２】
ｖ）上記トーン・ノイズ拡散「構造」（図１３〜図１５）によれば、耳障り音の抑圧効果はもちろんのこと、冷却風を乱流化する機能がより一層増強される。
【発明を実施するための最良の形態】
【００２３】
本発明によりもたらされる効果を明確にするために、初めに、従来のヒートシンクについて図を参照して説明しておく。なお後述する本発明に係るヒートシンクの基本構造は、その図に示す構造を一例として採用している。
【００２４】
図１９は従来のヒートシンクの正面図、
図２０はその側面図、
図２１はその平面図、をそれぞれ示す。
【００２５】
まず図１９を参照すると、ＩＣ基板８の上に発熱体をなす電子部品、代表例としてＣＰＵ２が載置される。このＣＰＵ２から発生した熱は、例えば銅製の熱拡散盤（ＨＳ：Heat Spreader）３に伝えられ、この盤３上に放熱範囲が広げられる。
【００２６】
放熱範囲を広げた熱拡散盤３上には相互に隣接して、例えばアルミからなる多数の平板状フィン４が平行配列される。各平板状フィン４の下端は、熱拡散盤３の表面に例えばロー付けによって固定され、それぞれ固定端となる。
【００２７】
一方各平板状フィン４の上端はそれぞれ自由端となり、冷却ファン５による冷却風Ｗの取入れ口となり、取り入れられた冷却風Ｗは隣接フィン間をぬってヒートシンク１の外部へ熱と共に放散される。
【００２８】
本図に示すヒートシンク１においては、さらに一層放熱効果を高めるために、ヒートパイプ６が平板状フィン群に内蔵される。本図では２本のＵ字型ヒートパイプ６が描かれているが、これに限らず１本のみでも良く、あるいは３本でも良い。また、本図では２本のＵ字型ヒートパイプ６が正面から見て（図１）、Ｖ字状に配置されているが、これは単に、上記ＩＣ基板８上の他の電子部品との接触を避けるためである。
【００２９】
図１９〜図２１に一例を示す従来のヒートシンク１においては、既に詳述したとおり、等間隔に整列された多数の平板状フィン４に一定速度の冷却風Ｗが当たるという上記の「一定性」に起因して、相互に同一の特定の周波数のトーン・ノイズが重なり合い、１つの大きなピーク音となって聞こえる。これが前述の「耳障り音」であり、人間の耳に不快感を与える。
【００３０】
そこで本発明では、上述したように、熱拡散盤３と、この熱拡散盤３上に立設しかつ相互に隣接して平行配列される複数の平板状フィン４と、を具備するヒートシンク１において、冷却風Ｗにより複数の平板状フィン４から生ずる略単一周波数のトーン・ノイズを複数周波数のトーン・ノイズに拡散させる「トーン・ノイズ拡散手段」または「トーン・ノイズ拡散構造」を提案する。
【００３１】
図１は本発明に基づく実施例１に係るヒートシンク１０の側面図（その１）、
図２はその平面図、
図３はその側面図（その２）、をそれぞれ示す。なお全図を通じて、同様の構成要素には同一の参照番号または記号を付して示す。
【００３２】
ここに本発明に基づく上記トーン・ノイズ拡散手段は、複数の隣接する平板状フィン４間にそれぞれ挿入固定されるトーン・ノイズ拡散板１１により構成される（図１〜図３）。そしてここで注目すべき点は、複数のトーン・ノイズ拡散板１１は、複数の平板状フィン４の上面から見たとき（図２）、該平板状フィン４の幅方向（図中の上下方向）にランダム配置されることである。これにより、前述した「一定性」を排除して前述した「ランダム性」を実現し、特定の周波数の音の重なりによるピーク音すなわちトーン・ノイズを周波数上拡散させ、耳障り音の発生を抑制可能とする。その「ランダム性」の別の態様は図３に示される。この図３に示すところによれば、複数のトーン・ノイズ拡散板１１は、複数の平板状フィン４の側面から見たとき（図３）、該複数の平板状フィン４の高さ方向（図中の上下方向）にランダム配置される。
【００３３】
上記図２に示す第１の態様でも上記図３に示す第２の態様でも、耳障り音の抑制効果は良好であり、これら第１の態様と第２の態様とを混在させればその抑制効果はさらに良好となる。
【００３４】
かかる耳障り音の抑制効果をもたらす各トーン・ノイズ拡散板１１は、短冊状をなすと共に、アルミ、銅、鉄等の金属、または樹脂から構成することができる。樹脂製であれば軽量化に役立ち、金属製であれば隣接平板状フィン間の熱の伝導性がより一層向上し、冷却効果も高まる。
【００３５】
かかるトーン・ノイズ拡散板１１は、上述のとおり、隣接フィン（４）間に挿入固定されるものであるが、その挿入固定の手法としては、（ａ）隣接フィン間に拡散板１１を圧入したり、（ｂ）隣接フィン間で拡散板１１を圧着したり、（ｃ）隣接フィンに拡散板１１をハンダ付したり、（ｄ）拡散板１１に両面テープあるいは接着剤を付着させ、隣接フィン間に差し込む、といった手法が可能である。
【００３６】
図４は本発明に基づく実施例２に係るヒートシンク２０の側面図、
図５はその平面図を、それぞれ示す。
【００３７】
この実施例２に係るヒートシンク２０もまた、熱拡散盤３と、この熱拡散盤３上に立設しかつ相互に隣接して平行配列される複数の平板状フィン４と、を具備するヒートシンクであって、冷却風Ｗにより複数の平板状フィン４から生ずる略単一周波数のトーン・ノイズを複数周波数のトーン・ノイズに拡散させるトーン・ノイズ拡散手段を形成するものであるが、その特徴は、このトーン・ノイズ拡散手段を、複数の平板状フィン４の上面にかつこれら平板状フィン４の各自由端（上端）と交差する方向に布設される複数のトーン・ノイズ拡散テープ２１により構成することにある。なお、これら拡散テープ２１は相互に平行に設けるだけでなく（図５）、相互に交差するようにあるいは斜めに設けても良い。
【００３８】
このようにトーン・ノイズ拡散テープ２１を設けることにより、冷却風Ｗの取入れ口となる平板状フィン（４）群の上面に空気の乱流部分を、本図では４ヶ所（図５）作り出し、上述の「ランダム性」を実現する。すなわち特定の周波数の音の重なりによるピーク音（トーン・ノイズ）を拡散させることができる。
【００３９】
このトーン・ノイズ拡散テープ２１は、粘着性を備える金属テープまたは熱伝導テープにより構成することができる。そのテープとしては、例えば住友スリーエム株式会社製の「５５０９Ｓ」や積水化学工業株式会社製の「アルミテープ」がある。
【００４０】
上記のように粘着性を備えることにより製造上の作業が楽になり好ましいが、そのような粘着性を備えなくても、上記金属テープまたは熱伝導テープ２１で、平板状フィン群を単に上から押さえる形にしても良い。
【００４１】
かかるテープ２１の導入により耳障り音が抑圧されるばかりでなく、フィン上面部分の剛性が高まる。また良熱伝導テープ２１を用いれば、平板状フィン４の上端部分相互間の熱伝導性がさらに高まり、冷却効率も良くなる。
【００４２】
図６は本発明に基づく実施例３に係るヒートシンク３０の側面図、
図７はその平面図を、それぞれ示す。
【００４３】
この実施例３に係るヒートシンク３０もまた、熱拡散盤３と、この熱拡散盤３上に立設しかつ相互に隣接して平行配列される複数の平板状フィンと、を具備するヒートシンクであって、冷却風Ｗにより複数の平板状フィン４から生ずる略単一周波数のトーン・ノイズを複数周波数のトーン・ノイズに拡散させるトーン・ノイズ拡散手段を形成するものであるが、その特徴は、このトーン・ノイズ拡散手段を、複数の隣接する平板状フィン４の間を該平板状フィン４に沿うようにかつ該平板状フィン４の高さ方向に相互にランダムな位置に配線されるワイヤ３１により構成することにある。
【００４４】
このようにワイヤ３１を導入することにより、各隣接フィン間から生じる風切り音の周波数をばらつかせることができ、単一周波数のピーク音が相互に重なり合うことを防止できる。すなわち耳障り音の抑圧が可能となる。
【００４５】
図８は変形実施例３に係るヒートシンク３０′の側面図、
図９はその平面図を、それぞれ示す。
【００４６】
この変形実施例３に係るヒートシンク３０′もまた上記実施例３と同様、熱拡散盤３と、この熱拡散盤３上に立設しかつ相互に隣接して平行配列される複数の平板状フィン４と、を具備するヒートシンクであって、冷却風Ｗにより複数の平板状フィン４から生ずる略単一周波数のトーン・ノイズを複数周波数のトーン・ノイズに拡散させるトーン・ノイズ拡散手段を形成するものであるが、その特徴は、トーン・ノイズ拡散手段を、複数の平板状フィン４を貫通して横切るようにかつ相互にランダムな方向に配線された複数本のワイヤ３１により構成することにある。
【００４７】
この変形実施例３の場合も、ワイヤ３１の導入により、各隣接フィン間から生じる風切り音の周波数にばらつきをもたせ、単一周波数のピーク音が相互に重なり合うことを防止し、耳障り音の発生を抑えることができる。
【００４８】
上記実施例３および変形実施例３に基づけば、ワイヤ３１を、平板状フィン４に溶接あるいは接着したり、またそのフィン４に穴を開けてそこにワイヤ３１を通すことで耳障り音の防止が実現できる。あるいは平板状フィン４にワイヤ３１を巻き付けたり、ネジ固定する等の方法を用いても良い。いずれにしても、きわめて簡単な素材（針金や糸）で実現できる。
【００４９】
図１０は本発明に基づく実施例４に係るヒートシンク４０の正面図、
図１１はその側面図、
図１２はその平面図を、それぞれ示す。
【００５０】
この実施例４に係るヒートシンク４０は、熱拡散盤３と、この熱拡散盤３上に立設しかつ相互に隣接して平行配列される複数の平板状フィン４と、その熱拡散盤３上の熱をこれら平板状フィン４より放熱させるためにこれらの平板状フィン４を貫通するように敷設される少なくとも１つのヒートパイプ６と、を具備するヒートシンクであって、冷却風Ｗにより複数の平板状フィン４から生ずる略単一周波数のトーン・ノイズを複数周波数のトーン・ノイズに拡散させるトーン・ノイズ拡散手段を形成するものである。
【００５１】
ここに実施例４に係るそのトーン・ノイズ拡散手段は、ヒートパイプ６に各一端が接合すると共に複数の隣接する平板状フィン４間にそれぞれ挿入固定されるトーン・ノイズ拡散片４１により構成されることを特徴とするものである。
【００５２】
このようにトーン・ノイズ拡散片４１を導入することにより、各隣接フィン間から生じる風切り音の周波数にばらつきをもたせることができ、単一周波数のピーク音が相互に重なり合うことを防止できる。すなわち耳障り音の発生が抑えられる。
【００５３】
また各トーン・ノイズ拡散片４１は、図１０に示すようにハ字状に開いて、すなわち、冷却風Ｗの流れに沿う方向に配設されることが望ましい。このようにハ字状の傾きをもたせることにより、ヒートシンク外への熱を帯びた冷却風Ｗの流れがスムーズになる。
【００５４】
各トーン・ノイズ拡散片４１は、短冊状をなすと共に、アルミ、銅、鉄等の金属、または樹脂から構成することができる。樹脂製であれば軽量化に役立ち、金属製であれば隣接平板状フィンと相互間ならびにヒートパイプ６と各平板状フィン４との間の熱の伝導性が向上し、冷却効果も高まる。
【００５５】
かかるトーン・ノイズ拡散片４１は、上述のとおり、ヒートパイプ６に接合しながら隣接フィン（４）間に挿入固定されるものであるが、その挿入固定の手法としては、（ａ）隣接フィン間に拡散板１１を圧入したり、（ｂ）隣接フィン間で拡散片４１を圧着したり、（ｃ）隣接フィンに拡散片４１をハンダ付したり、（ｄ）拡散片４１に両面テープあるいは接着剤を付着させ、隣接フィン間に差し込む、といった手法を採ることができる。
【００５６】
なおヒートパイプ６と拡散片４１との間の接合は、ハンダ付けや接着でも良いし、あるいは、単なる接触でも良い。
【００５７】
上記の実施例１〜実施例４に係るヒートシンク（１０，２０，３０，３０′，４０）は、トーン・ノイズ拡散板１１、トーン・ノイズ拡散テープ２１、トーン・ノイズ拡散用のワイヤ３１、トーン・ノイズ拡散片４１等のトーン・ノイズ拡散手段を用いるものであるが、かかる付加部材を用いることなしに本発明の目的を達成することもできる。これが本発明に基づく実施例５である。
【００５８】
実施例５に係るヒートシンク５０は、熱拡散盤３と、この熱拡散盤３上に立設しかつ相互に隣接して平行配列される複数の平板状フィン４と、を具備するヒートシンクであって、複数の平板状フィン４の全体構造を、冷却風Ｗによりこれら平板状フィン４から生ずる略単一周波数のトーン・ノイズを複数周波数のトーン・ノイズに拡散させる「トーン・ノイズ拡散構造」とするものである。
【００５９】
図１３は本発明に基づく実施例５に係るヒートシンク５０の側面図を示し、本図より明らかなように、上記の「トーン・ノイズ拡散構造」は、隣接する平板状フィン（４）間の各配列ピッチが相互に不均一となるような構造とすることを特徴とするものである。
【００６０】
このように平板状フィン間の配列ピッチを相互に不均一にすることによっても既述の「ランダム性」が満足され、単一周波数のピーク音が相互に重なり合うといった状況を回避することができる。すなわち耳障り音の発生を防止することができる。
【００６１】
図１４は図１３に示す実施例５の別の例をなすヒートシンク５０を示す。本図に示すヒートシンク５０における特徴は、上記の各配列ピッチが、熱拡散盤３上の温度分布の高／低に応じてそれぞれ密／疎となるようにすることにある。各配列ピッチは均一よりも不均一の方が好ましいが、その不均一のパターンを実現するに際しては、ヒートシンクの目的からして、放熱効果が高められるような不均一パターンを採用するのが最も好ましい。
【００６２】
そこで上記図１４の例では、温度分布上最も高い温度を示すＣＰＵ２およびその近辺における平板状フィン４は、相互に小さい間隔を置いて「密」（冷却効果が大）に配列し、一方、その温度分布上、比較的温度の低いＣＰＵ周辺領域においては、平板状フィン４を相互に大きい間隔を置いて「疎」（冷却効果が小）に配列するようにする。
【００６３】
図１５は本発明に基づく変形実施例５に係るヒートシンク５０′の側面図である。この変形実施例５に係るヒートシンク５０′もまた上記実施例５と同様に、熱拡散盤３と、この熱拡散盤３上に立設しかつ相互に隣接して平行配列される複数の平板状フィン４と、を具備するヒートシンクであって、複数の平板状フィン４の全体構造を、冷却風Ｗによりこれら平板状フィン４から生ずる略単一周波数のトーン・ノイズを複数周波数のトーン・ノイズに拡散させるトーン・ノイズ拡散構造とするものであり、ここに変形実施例５の特徴は、そのトーン・ノイズ拡散構造を、平板状フィン４の上面が非平坦になるように各該平板状フィン４の高さをランダムに変えた構造とすることにある。
【００６４】
さらに実施例５（図１３、図１４）および変形実施例５（図１５）によれば、特定周波数のトーン・ノイズを複数周波数のノイズに拡散する効果に加え、共鳴周波数を分散させて耳障り音をさらに低減するといった効果をも有する。
【００６５】
なお上記変形実施例５として図１５においては、平板状フィン４のエンベロープが一定形状（三角形）の繰り返しとなるようにしてランダム性を実現しているが、そのエンベロープ全体を繰り返し性のない不定のパターンをもった形状となるようにしても良い。
【００６６】
最後に、本発明に基づくヒートシンクによる、耳障り音の低減効果をその実測値をもって示す。比較対象としたのは従来型のヒートシンク１（図１９〜図２１）と、本発明に基づく各種実施例のうちから任意に選んだ実施例１（図１および図２）および実施例４（図１０、図１１および図１２）である。
【００６７】
図１６は従来のヒートシンク１を用いたときのトーン・ノイズ特性を示すグラフ、
図１７は本発明に係る実施例１のヒートシンク１０を用いたときのトーン・ノイズ特性を示すグラフ、
図１８は本発明に係る実施例４のヒートシンク４０を用いたときのトーン・ノイズ特性を示すグラフである。なお、耳障り音の客観的な評価方法として、ＩＳＯ７７７９，ＪＩＳＸ７７７９，ＥＣＭＡ７４にそれぞれ規定する方法があるが、図１６〜図１８はＥＣＭＡ７４に規定のＰＲ（Prominence Ratio）による方法のもとで測定した結果を表す。
【００６８】
図１６〜図１８において、実線のＰＲが人間の耳に耳障り感を与えるスレッショルドレベルを表す。ピーク音ＰがこのスレッショルドレベルＰＲを超えるとき、人間は耳障り感を覚える。なお、点線のレベルＱを下まわるピーク音については人間の耳には全く感じない。
【００６９】
図１６（従来）において注目すべき点は、図１９〜図２１に示すヒートシンク１を用いたとき既述の特定の周波数（ＦＲＥＱＵＥＮＣＹ）が３６６Hzであって、そのときのＰＲ測定値は１７．３dBとなり、そのときのＰＲ判定値１３．４dBに対し３．９（＝１７．３−１３．４）dBオーバーとなることである。つまり、従来のヒートシンク１においては、基準に対し＋３．９dB分もオーバーした耳障り感を生じさせる。
【００７０】
一方、図１７（実施例１）において注目すべき点は、ヒートシンク１０を用いたとき既述の特定周波数（ＦＲＥＱＵＥＮＣＹ）が４１４Hzであって、そのときのＰＲ測定値は１１．７dBとなり、そのときのＰＲ判定値１２．８dBに対し１．１dBショートとなることである。つまり、実施例１のヒートシンク１０においては、基準に対し−１．１dB分下まわった耳障り音となる。
【００７１】
結局、従来に比して本発明による対策を施した場合、−５．０（＝３．９＋１．１）dBという大きな、耳障り感の抑圧効果が得られることになる。
【００７２】
同様に図１８（実施例４）について見てみると、ヒートシンク４０を用いたとき既述の特定周波数（ＦＲＥＱＵＥＮＣＹ）が４０６Hzであって、そのときのＰＲ測定値は１３．６dBとなり、そのときのＰＲ判定値１２．９dBに対し０．７（＝１３．６−１２．９）dBオーバーとなることである。つまり、実施例４のヒートシンク４０においては、基準に対しわずか＋０．７dB分だけ上まわった耳障り感しか与えない。したがって、従来に比して本発明の実施例４による対策を施した場合、−３．２（＝３．９−０．７）dBという耳障り感の低減効果が認められる。
【００７３】
以上説明したように本発明によれば、従来のヒートシンクの構造が有する「一定性」を排除して「ランダム性」を採り入れることにより、トーン・ノイズが特定スペクトに集中することを防止しこれをホワイトノイズ化することができる。すなわち耳障り音を抑圧することが可能となる。
【００７４】
以上詳述した本発明に係るヒートシンクの実施態様は以下の各（付記）に示すとおりである。
（付記１）
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、複数の隣接する前記平板状フィン間にそれぞれ挿入固定されるトーン・ノイズ拡散板により構成することを特徴とするヒートシンク。
（付記２）
前記複数のトーン・ノイズ拡散板は、前記複数の平板状フィンの上面から見たとき、該トーン・ノイズ拡散板の幅方向にランダム配置されることを特徴とする付記１に記載のヒートシンク。
（付記３）
前記複数のトーン・ノイズ拡散板は、前記複数の平板状フィンの側面から見たとき、該トーン・ノイズ拡散板の高さ方向にランダム配置されることを特徴とする付記１に記載のヒートシンク。
（付記４）
各前記トーン・ノイズ拡散板は、短冊状をなすと共に、アルミ、銅、鉄等の金属、または樹脂から構成されることを特徴とする付記１に記載のヒートシンク。
（付記５）
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記複数の平板状フィンの上面にかつ該複数の平板状フィンの各自由端と交差する方向に布設される複数のトーン・ノイズ拡散テープにより構成することを特徴とするヒートシンク。
（付記６）
前記トーン・ノイズ拡散テープは、粘着性を備える金属テープまたは熱伝導テープにより構成されることを特徴とする付記５に記載のヒートシンク。
（付記７）
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記複数の隣接する平板状フィンの間を該平板状フィンに沿うようにかつ該平板状フィンの高さ方向に相互にランダムな位置に配線されるワイヤにより構成することを特徴とするヒートシンク。
（付記８）
熱拡散盤と、該熱拡散盤上に立設しかつ相互に隣接して平行配列される複数の平板状フィンと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記複数の平板状フィンを貫通して横切るようにかつ相互にランダムな方向に配線された複数本のワイヤにより構成することを特徴とするヒートシンク。
（付記９）
前記ワイヤは、針金または糸から構成されることを特徴とする付記７または９に記載のヒートシンク。
（付記１０）
熱拡散盤と、該熱拡散盤上に立設しかつ相互に隣接して平行配列される複数の平板状フィンと、前記熱拡散盤上の熱を該平板状フィンより放熱させるために該複数の平板状フィンを貫通するように敷設される少なくとも１つのヒートパイプと、を具備するヒートシンクにおいて、
冷却風により前記複数の平板状フィンから生ずる略単一周波数のトーン・ノイズを複数周波数のトーン・ノイズに拡散させるトーン・ノイズ拡散手段を形成し、ここに該トーン・ノイズ拡散手段を、前記ヒートパイプに各一端が接合すると共に複数の隣接する前記平板状フィン間にそれぞれ挿入固定されるトーン・ノイズ拡散片により構成することを特徴とするヒートシンク。
（付記１１）
各前記トーン・ノイズ拡散片は、前記冷却風の流れに沿う方向に配設されることを特徴とする付記１０に記載のヒートシンク。
（付記１２）
熱拡散盤と、該熱拡散盤上に立設しかつ相互に隣接して平行配列される複数の平板状フィンと、を具備するヒートシンクにおいて、
前記複数の平板状フィンの全体構造を、冷却風により前記複数の平板状フィンから生ずる略単一周波数のトーン・ノイズを複数周波数のトーン・ノイズに拡散させるトーン・ノイズ拡散構造とし、ここに該トーン・ノイズ拡散構造は、隣接する前記平板状フィン間の各配列ピッチを相互に不均一にする構造であることを特徴とするヒートシンク。
（付記１３）
各前記配列ピッチは、前記熱拡散盤上の温度分布の高／低に応じてそれぞれ密／疎とすることを特徴とする付記１２に記載のヒートシンク。
（付記１４）
熱拡散盤と、該熱拡散盤上に立設しかつ相互に隣接して平行配列される複数の平板状フィンと、を具備するヒートシンクにおいて、
前記複数の平板状フィンの全体構造を、冷却風により前記複数の平板状フィンから生ずる略単一周波数のトーン・ノイズを複数周波数のトーン・ノイズに拡散させるトーン・ノイズ拡散構造とし、ここに該トーン・ノイズ拡散構造は、前記平板状フィンの上面が非平坦になるように各該平板状フィンの高さをランダムに変えた構造であることを特徴とするヒートシンク。
【図面の簡単な説明】
【００７５】
【図１】本発明に基づく実施例１に係るヒートシンクの側面図（その１）である。
【図２】本発明に基づく実施例１に係るヒートシンクの平面図である。
【図３】本発明に基づく実施例１に係るヒートシンクの側面図（その２）である。
【図４】本発明に基づく実施例２に係るヒートシンクの側面図である。
【図５】本発明に基づく実施例２に係るヒートシンクの平面図である。
【図６】本発明に基づく実施例３に係るヒートシンクの側面図である。
【図７】本発明に基づく実施例３に係るヒートシンクの平面図である。
【図８】本発明に基づく変形実施例３に係るヒートシンクの側面図である。
【図９】本発明に基づく変形実施例３に係るヒートシンクの平面図である。
【図１０】本発明に基づく実施例４に係るヒートシンクの正面図である。
【図１１】本発明に基づく実施例４に係るヒートシンクの側面図である。
【図１２】本発明に基づく実施例４に係るヒートシンクの平面図である。
【図１３】本発明に基づく実施例５に係るヒートシンクの側面図である。
【図１４】図１３の実施例５に係るヒートシンクの別の例を示す側面図である。
【図１５】本発明に基づく変形実施例５に係るヒートシンクの側面図である。
【図１６】従来のヒートシンクを用いたときのトーン・ノイズ特性を示すグラフである。
【図１７】本発明に係る実施例１のヒートシンクを用いたときのトーン・ノイズ特性を示すグラフである。
【図１８】本発明に係る実施例４のヒートシンクを用いたときのトーン・ノイズ特性を示すグラフである。
【図１９】従来のヒートシンクの正面図である。
【図２０】従来のヒートシンクの側面図である。
【図２１】従来のヒートシンクの平面図である。
【符号の説明】
【００７６】
１    ヒートシンク
２    ＣＰＵ
３    熱拡散盤（ＨＳ）
４    フィン
５    冷却ファン
６    ヒートパイプ
１０    ヒートシンク（実施例１）
１１    トーン・ノイズ拡散板
２０    ヒートシンク（実施例２）
２１    トーン・ノイズ拡散テープ
３０    ヒートシンク（実施例３）
３１    ワイヤ
３０′    ヒートシンク（変形実施例３）
４０    ヒートシンク（実施例４）
４１    トーン・ノイズ拡散片
５０    ヒートシンク（実施例５）
５０′    ヒートシンク（変形実施例５）
Ｗ    冷却風
【図１】
0004809095.tif 000002
【図２】
0004809095.tif 000003
【図３】
0004809095.tif 000004
【図４】
0004809095.tif 000005
【図５】
0004809095.tif 000006
【図６】
0004809095.tif 000007
【図７】
0004809095.tif 000008
【図８】
0004809095.tif 000009
【図９】
0004809095.tif 000010
【図１０】
0004809095.tif 000011
【図１１】
0004809095.tif 000012
【図１２】
0004809095.tif 000013
【図１３】
0004809095.tif 000014
【図１４】
0004809095.tif 000015
【図１５】
0004809095.tif 000016
【図１６】
0004809095.tif 000017
【図１７】
0004809095.tif 000018
【図１８】
0004809095.tif 000019
【図１９】
0004809095.tif 000020
【図２０】
0004809095.tif 000021
【図２１】
0004809095.tif 000022